(57)【特許請求の範囲】
【請求項１】
撮影レンズにより形成された被写体像を正立像形成部材で正立像とし、接眼レンズを介して観察するファインダー光学系において、前記接眼レンズは前記正立像形成部材側から観察側へ順に、負の屈折力の第１レンズ群、光軸方向に移動させることで視度調節を行う正の屈折力の第２レンズ群、正または負の屈折力の第３レンズ群より構成され、前記第３レンズ群は、前記正立像形成部材側から観察側へ順に、正レンズと負レンズ、又は正レンズと２枚の負レンズから構成され、前記接眼レンズの−１ディオプターのときの全系の焦点距離をｆ、前記第３レンズ群を構成する負レンズの焦点距離又は合成焦点距離をｆ３ｎ、前記第１レンズ群の焦点距離をｆ１とするとき、
−０．５５＜ｆ３ｎ／ｆ＜−０．３０
−１．９１＜ｆ１／ｆ＜−１．２８
なる条件式を満足することを特徴とするファインダー光学系。
【請求項２】
前記第３レンズ群を構成する正レンズの焦点距離をｆ３ｐとするとき、
−１．７５＜ｆ３ｐ／ｆ３ｎ＜−１．００
なる条件式を満足することを特徴とする請求項１に記載のファインダー光学系。
【請求項３】
前記第１レンズ群は負レンズからなり、該負レンズの材料のアッベ数をνｄ１１とするとき、
νｄ１１＜３５
なる条件式を満足することを特徴とする請求項１または２に記載のファインダー光学系。
【請求項４】
前記第３レンズ群を構成する負レンズのうち、少なくとも１つの負レンズの材料のアッベ数をνｄｎとするとき、
２５＜νｄｎ＜５８
なる条件式を満足することを特徴とする請求項１乃至３のいずれか１項に記載のファインダー光学系。
【請求項５】
請求項１乃至４のいずれか１項に記載のファインダー光学系と、該ファインダー光学系で表示される被写体像に相当する像を受光する撮像手段とを有することを特徴とする撮像装置。
【発明の詳細な説明】
【技術分野】
【０００１】
本発明は、ファインダー光学系及びそれを用いた撮像装置に関し、特にファインダー光学系の観察倍率が大きくファインダー像を良好に観察することができる、例えば一眼レフカメラ等の撮像装置に好適なものである。
【背景技術】
【０００２】
従来、一眼レフカメラでは撮影レンズによって、焦点板上に形成した被写体像(ファインダー像)をファインダー光学系を介して観察している。このファインダー光学系は、焦点板上に形成された被写体像をペンタプリズム等の像反転手段を介して正立像とした後、接眼レンズによって拡大して観察するように構成されている。
【０００３】
この一眼レフカメラ用のファインダー光学系では主にペンタダハプリズムの大きさに依存する焦点板から接眼レンズまでの光路長によって、観察倍率やアイレリーフ等のファインダーの仕様が決定されている。
【０００４】
尚、ここでアイレリーフとは接眼レンズの射出面から観察者の瞳孔(アイポイント)までの距離である。
【０００５】
一眼レフカメラ用のファインダー光学系に用いられる接眼レンズには、高い観察倍率を有すること、十分な長さのアイレリーフがあること、視度調節機能があること等が求められている。
【０００６】
一眼レフカメラのファインダー光学系において、観察倍率が大きく、アイレリーフが十分に長い接眼レンズが従来より各種提案されている。（特許文献１〜５）
【特許文献１】特開２０００−１１１８１０号公報
【特許文献２】特開２００３−２１５４７１号公報
【特許文献３】特開２００５−２８４０３９号公報
【特許文献４】特開平９−３２９７５２号公報
【特許文献５】特開２００６−１４５８３４号公報
【発明の開示】
【発明が解決しようとする課題】
【０００７】
一般にファインダー光学系の観察倍率を大きくするためには、接眼レンズの焦点距離を短くすることが必要となる。しかしながら一眼レフカメラのファインダー光学系においては、一般に接眼レンズの視度を−１ディオプトリー付近に設定することが必要となる。このため、被写体像が形成される焦点板から接眼レンズまでの距離（接眼レンズの主点位置までの光路長）によって実質的な接眼レンズの焦点距離は決定される。
【０００８】
また一般に、アイレリーフを十分に長くするには、ペンタダハプリズムを十分に大きく構成して、ペンタダハプリズムによる光線のけられを極力少なくすることが必要となる。しかしこのようにすると、焦点板から接眼レンズまでの光路長が必然的に長くなり、ファインダー光学系の観察倍率は小さくなってくる。
【０００９】
このように一眼レフカメラのファインダー光学系においては、ファインダー光学系の観察倍率を大きくしつつアイレリーフを十分に長く設定することは大変難しい。
【００１０】
従って最も単純にファインダー光学系の観察倍率を大きくするにはペンタダハプリズムの光路長を短くし、接眼レンズをペンタプリズムに近接させて配置すれば良い。しかしながら、このような構成にすると、ファインダー光学系の観察部（アイポイント）がカメラの後面より物体側へ移動してしまい、アイレリーフが短くなってくるため好ましくない。
【００１１】
一般に一眼レフカメラにおいてファインダー光学系の観察倍率を大きくしつつ、アイレリーフを長くするには、ペンタダハプリズムの大きさ（光路長）はあまり小さくすることができないので接眼レンズのレンズ構成を適切に設定することが重要になってくる。
【００１２】
接眼レンズのレンズ構成が不適切であると観察倍率を高くしつつアイレリーフを長くするのが困難になってくる。
【００１３】
本発明は観察倍率が大きく、大きなファインダー像の観察ができ、しかもアイレリーフを十分に長く確保することのできるファインダー光学系及びそれを用いた撮像装置の提供を目的とする。
【課題を解決するための手段】
【００１４】
本発明のファインダー光学系は、撮影レンズにより形成された被写体像を正立像形成部材で正立像とし、接眼レンズを介して観察するファインダー光学系において、前記接眼レンズは前記正立像形成部材側から観察側へ順に、負の屈折力の第１レンズ群、光軸方向に移動させることで視度調節を行う正の屈折力の第２レンズ群、正または負の屈折力の第３レンズ群より構成され、前記第３レンズ群は、前記正立像形成部材側から観察側へ順に、正レンズと負レンズ、又は正レンズと２枚の負レンズから構成され、前記接眼レンズの−１ディオプターのときの全系の焦点距離をｆ、前記第３レンズ群を構成する負レンズの焦点距離又は合成焦点距離をｆ３ｎ、前記第１レンズ群の焦点距離をｆ１とするとき、
−０．５５＜ｆ３ｎ／ｆ＜−０．３０
−１．９１＜ｆ１／ｆ＜−１．２８
なる条件式を満足することを特徴としている。
【発明の効果】
【００１５】
本発明によれば、観察倍率が大きく、大きなファインダー像の観察ができ、しかもアイレリーフを十分に長く確保することのできるファインダー光学系が得られる。
【発明を実施するための最良の形態】
【００１６】
以下、本発明のファインダー光学系及びそれを有する撮像装置の実施例を説明する。本発明のファインダー光学系は、撮影レンズにより焦点板等に形成された被写体像をペンタダハプリズム等の正立像形成部材（像反転手段）で正立像とし、この正立像を接眼レンズを介して観察する構成より成っている。
【００１７】
接眼レンズは正立像形成部材から観察側へ順に、次のとおりである。負の屈折力の第１レンズ群、光軸方向に移動させることで視度調節を行う正の屈折力の第２レンズ群、正レンズと負レンズをそれぞれ１枚以上有し、全体として正もしくは負の屈折力の第３レンズ群より構成されている。
【００１８】
図１は本発明のファインダー光学系を撮像装置としてデジタル一眼レフカメラに適用したときの要部断面図である。
【００１９】
図２，図３は本発明のファインダー光学系の実施例１の光学要素の光路を展開した光路図と収差図である。
【００２０】
図４，図５は本発明のファインダー光学系の実施例２の光学要素の光路を展開した光路図と収差図である。
【００２１】
図６，図７は本発明のファインダー光学系の実施例３の光学要素の光路を展開した光路図と収差図である。
【００２２】
図８，図９は本発明のファインダー光学系の実施例４の光学要素の光路を展開した光路図と収差図である。
【００２３】
図１０，図１１は本発明のファインダー光学系の実施例５の光学要素の光路を展開した光路図と収差図である。
【００２４】
図１２，図１３は本発明のファインダー光学系の実施例６の光学要素の光路を展開した光路図と収差図である。
【００２５】
図１４，図１５は本発明のファインダー光学系の実施例７の光学要素の光路を展開した光路図と収差図である。
【００２６】
図１６，図１７は本発明のファインダー光学系の実施例８の光学要素の光路を展開した光路図と収差図である。
【００２７】
図１８，図１９は本発明のファインダー光学系の実施例９の光学要素の光路を展開した光路図と収差図である。
【００２８】
光路図と収差図においてはファインダー視度が−１ディオプトリー（標準視度）のときを示している。
【００２９】
図１と光路を展開した光路図において、１はカメラ本体（不図示）に固定または着脱可能な撮影レンズである。２はクイックリターンミラー（ＱＲミラー）であり、回転軸２ａを中心に矢印２ｂの如く回動可能となっており、撮影レンズ１からの光束を上方に反射させている。３は焦点板（フレネルレンズ）である。４は焦点板（マット面）であり、その面上には撮影レンズ１によって被写体像（ファインダー像）が形成されている。
【００３０】
５は正立像形成部材（像反転手段）としてのペンタダハプリズムであり、焦点板４上の被写体像を正立正像としている。５ａはペンタダハプリズム５の入射面であり、焦点板４からの被写体像に関する光束が入射する。
【００３１】
５ｂはペンタダハプリズム５を構成する屋根型形状の第１の反射鏡であり、焦点板４上に形成された被写体像で入射面５ａから入射した光束を該被写体像側へ反射させている。
【００３２】
５ｃは第１の反射鏡５ｂで物体側に反射された光束を観察側方向（アイポイント側）に反射させる第２の反射鏡である。
【００３３】
５ｄはペンタダハプリズムの出射面である。尚、正立像形成部材としては、ペンタダハミラーや複数のプリズムより構成されたものでも良い。
【００３４】
６は接眼レンズであり、ファインダー光学系の一部を構成している。同図では接眼レンズ６を模式的に示している。
【００３５】
接眼レンズ６はペンタダハプリズム５側から観察側へ負の屈折力の第１レンズ群Ｌ１、正の屈折力の第２レンズＬ２、正又は負の屈折力の第３レンズ群Ｌ３からなっている。
【００３６】
そして、第２レンズ群Ｌ２を接眼レンズ６の光軸Ｌａに沿って移動することで視度調節を行っている。ここで各レンズ群は単一レンズ又は複数のレンズより成っている。
【００３７】
７はアイポイントであり、観察者の眼が位置する。接眼レンズ６の最終レンズ面Ｒｂから観察側のアイポイント７までの距離がアイレリーフに相当している。
【００３８】
ＩＰは撮影レンズ１の像面であり、ＣＣＤセンサやＣＭＯＳセンサ等の固体撮像素子（撮像手段）の撮像面またはフィルム（撮像手段）等の感光面に相当する。
【００３９】
本実施形態におけるファインダー光学系は撮影レンズ１による被写体像をクイックリターンミラー２で反射させてフレネルレンズ３を介して焦点板４上に形成している。そして焦点板４に形成したファインダー像をペンタダハプリズム５で正立像として接眼レンズ６を介してアイポイント７より観察している。
【００４０】
また撮像手段に像を形成するときはクイックリターンミラー２は矢印２ｂの如く回動して撮影レンズ１からの光束が像面ＩＰに入射するようにしている。そして像面ＩＰに配置された撮像手段によって焦点板４に形成された被写体像に相当する像（被写体像の一部または全部またはそれよりも大きな部分の像）を光電変換（受光）している。
【００４１】
収差図において、ｄ、ｇは各々ｄ線、ｇ線である。ΔＭ、ΔＳはｄ線のメリディオナル像面、サジタル像面である。倍率色収差はｇ線によって表している。
【００４２】
φは瞳径である。ｈは焦点板４側での像高である。
【００４３】
各実施例のファインダー光学系を構成する接眼レンズ６は前述の如く負の屈折力の第１レンズ群Ｌ１、視度調整用の正の屈折力の第２レンズ群Ｌ２、そして正レンズと負レンズを１以上有し、全体として正もしくは負の屈折力の第３レンズ群より構成されている。
【００４４】
そして接眼レンズの−１ディオプターのときの全系の焦点距離をｆ、第３レンズ群Ｌ３の負レンズの合成焦点距離をｆ３ｎとする。
【００４５】
このとき
−０．５５＜ｆ３ｎ／ｆ＜−０．３０・・・（１）
なる条件式を満足している。
【００４６】
各実施例では、これによって高い観察倍率を実現し、ファインダー像を大きくしながらも十分な長さのアイレリーフを得ている。
【００４７】
ここで、合成焦点距離とは、レンズ群が１枚のレンズより成るときは、そのレンズの焦点距離をいう。又２以上のレンズを有するときは、各レンズが配置された状態での合成焦点距離をいう。
【００４８】
次に条件式（１）の技術的意味について説明する。条件式（１）は第３レンズ群Ｌ３に含まれる負レンズの屈折力に関するものである。ファインダー光学系の観察倍率を大きくする為には、焦点板４から接眼レンズ６までの距離（接眼レンズの主点位置までの光路長）を短くすることが必要である。そのためには第３レンズ群Ｌ３に含まれる負レンズの屈折力は大きいことが望ましい。しかしながら第３レンズ群Ｌ３に含まれる負レンズの屈折力が強くなりすぎると、十分な長さのアイレリーフを確保することが困難になる。
【００４９】
条件式（１）は高い観察倍率を実現しながら、十分な長さのアイレリーフを確保する為の条件である。条件式（１）の下限を超えると、第３レンズ群Ｌ３中の負レンズの屈折力が弱くなりすぎてしまい、接眼レンズ６の主点位置が焦点板４から遠ざかり、高い観察倍率を実現することが困難になる。
【００５０】
一方、上限を超えて第３レンズ群Ｌ３中の負レンズの屈折力が強くなりすぎると、十分な長さのアイレリーフを確保するのが難しくなる。
【００５１】
更に好ましくは条件式（１）の数値範囲を次の如く設定するのが良い。
【００５２】
−０．５４＜ｆ３ｎ／ｆ＜−０．３２・・・（１ａ）
各実施例のファインダー光学系は、以上のように構成することによって、高い光学性能を保ちつつ観察倍率が大きく、大きなファインダー像の観察ができ、しかも十分に長いアイレリーフを確保している。
【００５３】
各実施例において、更に好ましくは、次の諸条件のうちの１以上を満足するのが良い。
【００５４】
第１レンズ群Ｌ１の焦点距離をｆ１、第３レンズ群Ｌ３中の正レンズの合成焦点距離をｆ３ｐとする。
【００５５】
第１レンズ群Ｌ１は負の第１１レンズ（負レンズ）からなり、第１１レンズの材料のアッベ数をνｄ１１とする。
【００５６】
第３レンズ群Ｌ３はペンタダハプリズム側（正立像形成部材側）から観察側へ順に正の第３１レンズ（正レンズ）、少なくとも１つの負レンズから構成されている。このうち少なくとも１つの負レンズの材料のアッベ数をνｄｎとする。
【００５７】
このとき
−１．９１＜ｆ１／ｆ＜−１．２８        ・・・（２）
−１．７５＜ｆ３ｐ／ｆ３ｎ＜−１．００  ・・・（３）
νｄ１１＜３５                          ・・・（４）
２５＜νｄｎ＜５８                      ・・・（５）
なる条件式のうち１以上を満足するのが良い。
【００５８】
尚、負レンズが複数含まれるときは、各負レンズが条件式（５）を満足するのが良い。
【００５９】
条件式（２）は高い観察倍率を実現しながら、十分な長さのアイレリーフを確保する為の条件である。条件式（２）の下限を超えると、第１レンズ群Ｌ１の屈折力が弱くなりすぎてしまい、十分な長さのアイレリーフを確保するのが難しくなる。
【００６０】
一方、上限を超えて第１レンズ群Ｌ１の屈折力が強くなりすぎると、接眼レンズ６の主点位置が焦点板４から遠ざかってしまい、高い観察倍率を実現することが困難になる。
【００６１】
条件式（３）は高い観察倍率を実現しながら、十分な長さのアイレリーフを確保する為の条件である。条件式（３）は第３レンズ群Ｌ３の観察倍率を表しており、第１、第２レンズ群Ｌ１、Ｌ２により形成される像を拡大して観察する為の条件である。
【００６２】
条件式（３）の下限を超えると、第３レンズ群Ｌ３の観察倍率が大きくなりすぎてしまい、十分な長さのアイレリーフを確保するのが難しくなる。
【００６３】
一方、上限を超えると、第３レンズ群Ｌ３による拡大倍率が小さくなってきて、高い観察倍率を実現することが困難になる。
【００６４】
条件式（４）および（５）はファインダー光学系の倍率色収差を補正する為の条件である。高倍率化に伴う倍率色収差の補正を良好に行う為には、負の屈折力を有するレンズの材料の分散を適切に設定することが必要である。
【００６５】
条件式（４）は負の屈折力の第１１レンズの材料に高分散の材料を用いて倍率色収差を補正する為の条件式である。条件式（４）の上限を超えると倍率色収差の補正が不十分となる。
【００６６】
条件式（５）は第３レンズ群Ｌ３中の負レンズに適切な分散を有する材料を用いて倍率色収差を良好に補正する為の条件式である。条件式（５）の上限を超えると倍率色収差の補正が不十分となる。又、条件式（５）の下限を超えると軸上色収差の補正が不十分となる。
【００６７】
更に好ましくは、条件式（２）〜（５）の数値範囲を次の如く設定するのが良い。
【００６８】
−１．９０＜ｆ１／ｆ＜−１．２９        ・・・（２ａ）
−１．７３＜ｆ３ｐ／ｆ３ｎ＜−１．１０  ・・・（３ａ）
νｄ１１＜３２                          ・・・（４ａ）
２７．０＜νｄｎ＜５７．６              ・・・（５ａ）
各実施例によれば以上のように、ファインダー光学系の各要素を適切に設定することにより、高い光学性能を有し、高い観察倍率で且つ十分に長いアイレリーフを確保することができる。
【００６９】
次に各実施例の接眼レンズの構成について説明する。各実施例において第１レンズ群Ｌ１は観察側の面が凹形状の負の第１１レンズより構成している。又、第２レンズ群Ｌ２は両凸形状の正の第２１レンズより構成している。
【００７０】
実施例１〜４、６〜９において第３レンズ群Ｌ３は正の第３１レンズと負の第３２レンズから構成している。又、実施例５はペンタダハプリズム５から観察側へ順に正の第３１レンズ、２枚の負レンズ（負の第３２レンズ、負の第３３レンズ）より構成している。
【００７１】
次に各実施例に対応する数値実施例を示す。
【００７２】
各数値実施例において、面番号は焦点板４からの順番を示す。ｒｉは焦点板４側より順に第ｉ番目の光学素子面の曲率半径、ｄｉは焦点板４側より順に第ｉ番目の光学素子厚及び空気間隔である。ｎｄｉとνｄｉは各々焦点板４側より順に第ｉ番目の光学素子の材料の屈折率とアッベ数である。
【００７３】
ｒ１、ｒ２は焦点板３、ｒ３は焦点板４（マット面）に相当する。ｒ４、ｒ５はペンタダハプリズム５の入射面５ａと出射面５ｄである。ｒ１〜ｒ５の曲率半径は平面（∞）となっている。
【００７４】
数値実施例１〜４、６〜９においてｒ６〜ｒ１３が接眼レンズ６を構成する各レンズの面の曲率半径である。
【００７５】
数値実施例５ではｒ６〜ｒ１５が接眼レンズ６を構成する各レンズ面の曲率半径である。各数値実施例において最終の面はアイポイント（絞り）を示している。
【００７６】
なお、各数値実施例において＊印は非球面を表しており、非球面形状は光軸方向にＸ軸、光軸と垂直方向にＹ軸、光の進行方向を正としＲを近軸曲率半径、Ｋ、Ａ４、Ａ６、Ａ８、Ａ１０としたとき、
【００７７】
【数１】
0005344534.tif 000002
【００７８】
によって定義されるものである。また、「ｅ−０Ｘ」の表示は「１０−Ｘ」を意味している。
【００７９】
また、各数値実施例のファインダー光学系を実現した際のファインダー倍率（観察倍率）とアイレリーフの概略の計算結果を示す。ファインダー倍率は焦点距離が５０ｍｍの標準レンズを撮影レンズとして装着したときのアフォーカル系の角倍率で表している。ここでは近似的に撮影レンズの焦点距離とファインダー光学系の焦点距離の比で表している。
【００８０】
また、前述の条件式と数値実施例における諸数値との関係を表−１に示す。
【００８１】
数値実施例１
面データ
面番号       r        d      nd         νd       有効径
1          ∞       0.60                         50.00
2          ∞       1.00   1.58306    30.2       50.00
3          ∞       3.30                         50.00
4          ∞      83.25   1.51633    64.1       50.00
5          ∞       0.52                         25.00
6       -668.731    1.75   1.58306    30.2       24.00
7*        54.163  (可変)                         24.00
8*        26.782    4.68   1.52470    56.2       24.00
9        -91.305  (可変)                         24.00
10*        19.444    5.34   1.52470    56.2       24.00
11        -72.745    3.60                         24.00
12*       -57.942    2.00   1.49171    57.4       24.00
13         13.758   22.00                         17.00
14(絞り)    ∞                                    10.00
非球面データ
第7面
K  = 2.57764e+000  A 4= 1.28915e-006  A 6=-1.26118e-008
A 8=-2.55424e-010  A10= 1.04289e-012  
第8面
K  =-1.03529e+000  A 4= 1.90417e-005  A 6=-1.04443e-007
A 8= 5.92133e-012  A10= 6.92071e-013  
第10面
K  = 9.03262e-001  A 4=-4.21397e-005  A 6=-3.83091e-008
A 8=-1.75950e-011  A10=-3.99358e-012  
第12面
K  =-9.33807e+000  A 4= 1.88814e-007  A 6= 1.25533e-007
A 8=-5.13665e-010  A10=-1.27776e-012  
視度          -1.0     -3.0     +1.0 
焦点距離      52.10    54.15    50.27
可変間隔
d 7            2.56     0.70     4.35      
d 9            1.55     4.01     0.70       
アイレリーフ  ２２.０ｍｍ
最大像高  1３.１ｍｍ
瞳径  φ１０
観察倍率（−１ディオプトリー時）  ０.９６  
【００８２】
数値実施例２
面データ
面番号       r        d      nd         νd       有効径
1          ∞       0.60                         50.00
2          ∞       1.00   1.58306    30.2       50.00
3          ∞       3.30                         50.00
4          ∞      83.25   1.51633    64.1       50.00
5          ∞       0.51                         25.00
6      -1074.933    1.75   1.58306    30.2       24.00
7*        58.939  (可変)                         24.00
8*        27.128    4.67   1.52470    56.2       24.00
9        -98.388  (可変)                         24.00
10*        19.469    5.00   1.52470    56.2       24.00
11        -77.618    3.67                         24.00
12        -98.169    2.01   1.60342    38.0       24.00
13         15.832   22.00                         17.00
14(絞り)    ∞                                    10.00
非球面データ
第7面
K  = 2.79002e+000  A 4= 4.38192e-006  A 6=-1.98995e-008
A 8=-2.54909e-010  A10= 1.13055e-012  
第8面
K  =-7.94546e-001  A 4= 1.98507e-005  A 6=-1.01573e-007
A 8= 5.32702e-012  A10= 6.82690e-013  
第10面
K  = 9.00220e-001  A 4=-4.21880e-005  A 6=-3.52646e-008 
A 8= 3.68260e-011  A10=-4.07149e-012  
視度          -1.0     -3.0     +1.0
焦点距離      52.09    53.94    50.27
d 7            2.72     0.70     4.68     
d 9            1.66     4.00     0.70     
アイレリーフ  ２２.０ｍｍ
最大像高  １３.１ｍｍ
瞳径  φ１０
観察倍率（−１ディオプトリー時）  ０.９６
【００８３】
数値実施例３
面データ
面番号       r        d      nd         νd       有効径
1          ∞       0.60                         50.00
2          ∞       1.00   1.58306    30.2       50.00
3          ∞       3.30                         50.00
4          ∞      82.84   1.51633    64.1       50.00
5          ∞       0.50                         25.00
6          ∞       1.75   1.58306    30.2       25.00
7*        44.429  (可変)                         25.00
8*        28.931    4.50   1.52470    56.2       25.00
9        -47.741  (可変)                         25.00
10*        19.186    5.37   1.52470    56.2       25.00
11       -122.201    3.02                         25.00
12       -314.833    2.15   1.64769    33.8       25.00
13         15.281   22.00                         17.00
14(絞り)    ∞                                    12.00
非球面データ
第7面
K  = 4.46726e+000  A 4=-1.01470e-005  A 6= 2.02087e-009 
A 8=-2.74473e-010  A10= 2.55254e-013  
第8面
K  =-1.03105e+001  A 4= 3.28785e-005  A 6=-1.86356e-007 
A 8= 5.74535e-010  A10=-1.52724e-012  
第10面
K  =-5.02569e-001  A 4= 1.16932e-005  A 6=-1.38784e-008 
A 8= 5.27327e-011  A10= 1.05579e-012  
視度          -1.0     -3.0     +1.0
焦点距離      52.09    54.02    50.35
d 7            2.37     0.70     4.01  
d 9            2.25     4.00     0.50  
アイレリーフ  ２２.０ｍｍ
最大像高  １３.１ｍｍ
瞳径  φ1２
観察倍率（−１ディオプトリー時）  ０.９６  
【００８４】
数値実施例４
面データ
面番号       r        d      nd         νd       有効径
1          ∞       0.60                         50.00
2          ∞       1.00   1.58306    30.2       50.00
3          ∞       3.30                         50.00
4          ∞      81.44   1.51633    64.1       50.00
5          ∞       0.50                         25.00
6       -784.851    1.89   1.78472    25.7       22.00
7*        68.609  (可変)                         22.00
8*        28.846    5.00   1.52470    56.2       22.00
9        -35.502  (可変)                         22.00
10*        19.087    5.46   1.52470    56.2       22.00
11       -276.864    2.34                         22.00
12        -52.358    2.00   1.57099    50.8       20.00
13         15.896   22.00                         16.00
14(絞り)    ∞                                    14.00
非球面データ
第7面
K  = 6.36836e+000  A 4=-3.06435e-006  A 6=-2.36442e-007 
A 8= 3.31369e-009  A10=-1.11895e-011  
第8面
K  = 3.57007e+000  A 4=-3.06375e-005  A 6=-4.74601e-007 
A 8= 5.44906e-009  A10=-2.15842e-011  
第10面
K  = 1.04379e+000  A 4=-1.83099e-005  A 6= 1.89658e-007 
A 8=-3.45695e-009  A10= 5.85322e-012  
視度          -1.0     -3.0     +1.0
焦点距離      51.33    52.51    50.22
d 7            2.48     0.70     4.30 
d 9            2.32     4.10     0.50 
アイレリーフ  ２２.０ｍｍ
最大像高  １２.４ｍｍ
瞳径  φ1４
観察倍率（−１ディオプトリー時）  ０.９７
【００８５】
数値実施例5
面データ
面番号       r        d      nd         νd       有効径
1          ∞       0.60                         50.00
2          ∞       1.00   1.58306    30.2       50.00
3          ∞       3.30                         50.00
4          ∞      84.53   1.51633    64.1       50.00
5          ∞       0.90                         25.00
6       -155.465    1.75   1.58306    30.2       24.00
7*        53.653  (可変)                         24.00
8*        27.744    4.94   1.52470    56.2       24.00
9        -38.038  (可変)                         24.00
10*        24.368    5.70   1.52470    56.2       24.00
11        -60.857    1.64                         24.00
12        -97.437    1.82   1.58306    30.2       24.00
13         60.000    1.73                         24.00
14          ∞       2.50   1.49171    57.4       24.00
15         16.782   22.00                         17.00
16(絞り)    ∞                                    10.00
非球面データ
第7面
K  = 6.22533e+000  A 4= 8.19944e-007  A 6=-2.20569e-007 
A 8= 1.71777e-010  A10= 2.06967e-012  
第8面
K  = 9.12674e-001  A 4=-1.62878e-005  A 6=-2.56717e-007 
A 8=-2.36385e-010  A10= 3.61096e-012  
第10面
K  = 1.38490e+000  A 4=-1.32981e-005  A 6= 2.01450e-008 
A 8= 1.54281e-009  A10=-8.54007e-012  
視度          -1.0     -3.0     +1.0
焦点距離      52.43    54.51    50.70
d 7            2.44     0.70     4.04 
d 9            2.28     4.00     0.70  
アイレリーフ  ２２.０ｍｍ
最大像高  １３.１ｍｍ
瞳径  φ１０
観察倍率（−１ディオプトリー時）  ０.９６
【００８６】
数値実施例６
面データ
面番号       r        d      nd         νd       有効径
1          ∞       0.60                         50.00
2          ∞       1.00   1.58306    30.2       50.00
3          ∞       3.30                         50.00
4          ∞      83.80   1.65844    50.9       50.00
5          ∞       0.69                         25.00
6       -278.467    1.75   1.58306    30.2       24.00
7*        48.037  (可変)                         24.00
8*        28.487    4.72   1.52470    56.2       24.00
9       -115.198  (可変)                         24.00
10*        18.138    5.25   1.52470    56.2       24.00
11        -43.017    2.92                         24.00
12*       -58.747    2.97   1.49171    57.4       24.00
13         13.398   22.00                         17.00
14(絞り)    ∞                                    10.00
非球面データ
第7面
K  = 6.36602e+000  A 4= 8.23819e-007  A 6=-1.77750e-007 
A 8= 6.76616e-010  A10=-1.56161e-012  
第8面
K  =-1.26111e+000  A 4= 1.03583e-005  A 6=-1.41272e-007 
A 8= 6.62637e-011  A10= 1.78319e-013  
第10面
K  = 1.56975e-001  A 4=-2.45955e-005  A 6=-4.59917e-008 
A 8= 2.91860e-010  A10=-2.25989e-012  
第12面
K  = 1.16956e+001  A 4= 8.15840e-006  A 6=-1.21407e-008 
A 8= 1.10325e-009  A10=-2.98027e-012  
視度          -1.0     -3.0     +1.0
焦点距離      51.11    54.08    48.73
d 7            2.56     0.70     4.19       
d 9            2.14     4.00     0.51       
アイレリーフ  ２２.０ｍｍ
最大像高  １３.１ｍｍ
瞳径  φ１０
観察倍率（−１ディオプトリー時）  ０.９８  
【００８７】
数値実施例7
面データ
面番号       r        d      nd         νd       有効径
1          ∞       0.60                         50.00
2          ∞       1.00   1.58306    30.2       50.00
3          ∞       3.30                         50.00
4          ∞      81.44   1.51633    64.1       50.00
5          ∞       0.50                         25.00
6       -784.851    1.75   1.78472    25.7       22.00
7*        64.053  (可変)                         22.00
8*        29.156    5.00   1.52470    56.2       22.00
9        -33.821  (可変)                         22.00
10*        19.480    5.45   1.52470    56.2       22.00
11       -403.070    2.59                         22.00
12        -39.534    2.00   1.49171    57.4       20.00
13         15.023   22.00                         16.00
14(絞り)    ∞                                    14.00
非球面データ
第7面
K  = 6.96037e+000  A 4=-8.33537e-007  A 6=-2.76983e-007 
A 8= 3.16395e-009  A10=-9.94943e-012  
第8面
K  = 3.32658e+000  A 4=-2.96857e-005  A 6=-4.47945e-007 
A 8= 4.50476e-009  A10=-1.61645e-011  
第10面
K  = 1.13589e+000  A 4=-1.20274e-005  A 6= 1.43817e-007 
A 8=-2.31785e-009  A10= 2.35917e-012  
視度          -1.0     -3.0     +1.0
焦点距離      51.33    52.67    50.07
d 7            2.38     0.70     4.10  
d 9            2.32     4.00     0.60  
アイレリーフ  ２２.０ｍｍ
最大像高  １２.４ｍｍ
瞳径  φ1４
観察倍率（−１ディオプトリー時）  ０.９７  
【００８８】
数値実施例８
面データ
面番号       r        d      nd         νd       有効径
1          ∞       0.60                         50.00
2          ∞       1.00   1.58306    30.2       50.00
3          ∞       3.30                         50.00
4          ∞      93.35   1.65844    50.9       50.00
5          ∞       0.49                         30.00
6          ∞       1.47   1.84666    23.8       30.00
7         72.678  (可変)                         30.00
8*        30.704    5.60   1.65160    58.5       30.00
9        -73.148  (可変)                         30.00
10         19.522    6.02   1.77250    49.6       28.00
11        254.087    3.73                         28.00
12        -89.011    1.69   1.72825    28.5       28.00
13         13.364   22.0                          20.00
14(絞り)    ∞                                    12.00
非球面データ
第8面
K  = 9.69483e-001  A 4=-1.06144e-005  A 6=-8.90915e-009 
A 8= 7.87746e-012  A10=-9.02678e-014  
視度          -1.0     -3.0     +1.0
焦点距離      45.48    46.47    44.47
d 7            2.38     0.70     3.76  
d 9            1.12     3.31     0.25  
アイレリーフ  ２２.０ｍｍ
最大像高  １３.１ｍｍ
瞳径  φ１２
観察倍率（−１ディオプトリー時）  １.１０  
【００８９】
数値実施例９
面データ
面番号       r        d      nd         νd       有効径
1          ∞       0.60                         50.00
2          ∞       1.00   1.58306    30.2       50.00
3          ∞       3.30                         50.00
4          ∞      82.50   1.77250    49.6       50.00
5          ∞       2.27                         30.00
6          ∞       1.50   1.78472    25.7       26.00
7*        64.053  (可変)                         26.00
8*        27.444    5.68   1.56000    56.2       26.00
9        -37.018  (可変)                         26.00
10*        19.480    5.59   1.52470    56.2       26.00
11        105.925    0.82                         26.00
12      -4622.353    1.85   1.57501    41.5       26.00
13         15.224   22.0                          26.00
14(絞り)    ∞                                    12.00
非球面データ
第7面
K  = 6.96037e+000  A 4=-8.33537e-007  A 6=-2.76983e-007 
A 8= 3.16395e-009  A10=-9.94943e-012  
第8面
K  = 2.49502e+000  A 4=-3.26642e-005  A 6=-4.09540e-007 
A 8= 4.05312e-009  A10=-1.39299e-011  
第10面
K  = 1.13589e+000  A 4=-1.20274e-005  A 6= 1.43817e-007 
A 8=-2.31785e-009  A10= 2.35917e-012  
d 7            2.58     0.70     4.49     3.52  
d 9            2.21     4.60     0.50     1.35  
視度           -1.0     -3.0      +1.0
焦点距離      49.88    50.46    48.97
d 7            2.58     0.70     4.49  
d 9            2.21     4.60     0.50  
アイレリーフ  ２２.０ｍｍ
最大像高  １３.１
瞳径  φ１０
観察倍率（−１ディオプトリー時）  １.００  
【００９０】
【表１】
0005344534.tif 000003
【図面の簡単な説明】
【００９１】
【図１】本発明のファインダー光学系を用いた撮像装置の要部断面図
【図２】本発明の数値実施例１の光路を展開した時の断面図
【図３】本発明の数値実施例１の収差図
【図４】本発明の数値実施例２の光路を展開した時の断面図
【図５】本発明の数値実施例２の収差図
【図６】本発明の数値実施例３の光路を展開した時の断面図
【図７】本発明の数値実施例３の収差図
【図８】本発明の数値実施例４の光路を展開した時の断面図
【図９】本発明の数値実施例４の収差図
【図１０】本発明の数値実施例５の光路を展開した時の断面図
【図１１】本発明の数値実施例５の収差図
【図１２】本発明の数値実施例６の光路を展開した時の断面図
【図１３】本発明の数値実施例６の収差図
【図１４】本発明の数値実施例７の光路を展開した時の断面図
【図１５】本発明の数値実施例７の収差図
【図１６】本発明の数値実施例８の光路を展開した時の断面図
【図１７】本発明の数値実施例８の収差図
【図１８】本発明の数値実施例９の光路を展開した時の断面図
【図１９】本発明の数値実施例９の収差図
【符号の説明】
【００９２】
１：撮影レンズ
２：クイックリターンミラー
３：ピント板（フレネル）
４：ピント板（マット面）
５：ペンタプリズム
６：接眼レンズ
Ｌ１：第１レンズ群
Ｌ２：第２レンズ群
Ｌ３：第３レンズ群
７：アイポイント
【図２】
0005344534.tif 000004
【図３】
0005344534.tif 000005
【図４】
0005344534.tif 000006
【図６】
0005344534.tif 000007
【図７】
0005344534.tif 000008
【図８】
0005344534.tif 000009
【図９】
0005344534.tif 000010
【図１０】
0005344534.tif 000011
【図１１】
0005344534.tif 000012
【図１２】
0005344534.tif 000013
【図１３】
0005344534.tif 000014
【図１４】
0005344534.tif 000015
【図１５】
0005344534.tif 000016
【図１６】
0005344534.tif 000017
【図１７】
0005344534.tif 000018
【図１８】
0005344534.tif 000019
【図１９】
0005344534.tif 000020
【図１】
0005344534.tif 000021
【図５】
0005344534.tif 000022